【手続補正書】
【提出日】平成14年12月16日(2002.12.16)
【手続補正１】
【補正対象書類名】明細書
【補正対象項目名】特許請求の範囲
【補正方法】変更
【補正の内容】
【特許請求の範囲】
【請求項１】
容積調整可能な手動ピペット（１０）であって、
（ｉ）ディスプレイ（１４）および関連する位置検出（１６）および制御手段（１８）と、
（ｉｉ）プランジャ・ユニット（２０）と
（ｉｉｉ）前記ピペットの前記容積設定および前記ディスプレイを同時に制御するための設定容積の迅速調整機構（２２）とを支持する、軸方向に細長く、把持可能なハウジング（１２）を備え、
前記設定容積の迅速調整機構は、
前記ハウジング（１２）内の前記プランジャ・ユニット（２０）の上方向の動きを制限して前記ピペット（１０）用の前記容積設定を画定する、軸方向に移動可能にプランジャ・ユニット上に支持された、ピペット容積設定部材（３２）と、
前記ハウジング（１２）に対して前記容積設定部材（３２）を解除可能に固定する手段（３４）とを備え、
前記容積設定部材（３２）が前記ハウジング（１２）から解除されるとき、前記ピペット用の容積設定を迅速に調整するように、前記容積設定部材（３２）が、前記プランジャ・ユニット（２０）上を、また、前記プランジャ・ユニットとともに軸方向に迅速に可動であり、
前記容積設定部材（３２）が前記ハウジング（１２）に固定されるとき、前記容積設定部材（３２）が、前記ピペット用の容積設定を微調整するように、前記プランジャ・ユニット（２０）とともに回転可能であり、また、前記プランジャ・ユニットが、前記ハウジングの下端から延びる中空軸に固定されたピペットチップへ、また、ピペットチップから、液体を吸引および分配するように、前記容積設定部材に対して軸方向に可動であり、
前記検出および制御手段（１８）は、前記容積設定をモニターして、前記ディスプレイ（１４）上に前記ピペットの前記容積設定の表示を供給する、容積調整可能な手動ピペット。
【請求項２】
前記ハウジング（１２）からの解除後に、前記ハウジング（１２）内で前記容積設定部材（３２）を軸方向に移動させるためのユーザ可動部材（５４、５６）をさらに含む、請求項１に記載のピペット。
【請求項３】
前記手段（３４）が、前記容積設定部材とハウジングとの間に摩擦を発生させ、ハウジングに対して前記容積設定部材を保持する手段（８０）を有している、請求項１に記載のピペット。
【請求項４】
前記容積設定部材（３２）が、回転止めされたねじ切りされた部材（５０）と対になっていて、前記プランジャ・ユニット（２０）用の上方止め部材を画定するねじ切りされたスリーブ（４４）を有しておリ、該スリーブ（４４）は軸方向にプランジャ・ユニットを受入れ、その上を軸方向に動き、プランジャ・ユニットと共にピペット用の容積設定の迅速調節を提供し、回転止めされたねじ切りされた部材（５０）に対して回転自在に支持され、ピペット用の容積設定の微調節を提供する、請求項１に記載のピペット。
【請求項５】
前記容積設定部材が前記ハウジングから解除されるとき、前記ピペット用の容積設定を迅速に調整するように、前記スリーブ（４４）が、前記プランジャ・ユニット（２０）上を、また、前記プランジャ・ユニットとともに軸方向に迅速に可動であり、前記容積設定部材が前記ハウジングに固定されるとき、（ｉ）前記スリーブが、前記ピペット用の容積設定を微調整するように、前記ねじ切りされた部材（５０）に対して前記プランジャ・ユニットとともに回転可能であり、また、（ｉｉ）前記プランジャ・ユニットが、前記ハウジングの下端から延びる中空軸に固定されたピペットチップへ、また、ピペットチップから、液体を吸引および分配するように、前記スリーブ（４４）に対して軸方向に可動であるように、ユーザ操作可能固定機構（３４）が前記ハウジング（１２）に対して前記容積設定部材（３２）を解除可能に固定する請求項１４に記載の、ピペット。
【請求項６】
前記ねじ切りされた部材（５０）は、前記ハウジング内で支持され、前記容積設定部材（３２）が前記固定機構（３４）によって前記ハウジング（１２）から解除されるとき、前記スリーブ（４４）およびプランジャ・ユニット（２０）とともに軸方向に移動して、前記ピペット用の容積設定の迅速調整を提供する、請求項５に記載のピペット。
【請求項７】
固定機構（３４）は、
前記ねじ切りされた部材（５０）を前記ハウジング（１２）に対して解除可能に固定し、それによって、（ｉ）前記ハウジングから前記ねじ切りされた部材が解除されると、前記スリーブ（４４）は、開放されて、前記ねじ切りされた部材とともに軸方向に移動して、前記ハウジング内での前記スリーブの位置の軸方向の迅速な調整、したがって前記ピペットの前記容積設定がもたらされ、また（ｉｉ）前記ハウジングに固定されると、前記プランジャ・ユニットを回転することによって、前記センサ手段によって検出され、前記ディスプレイによって表示されながら、前記ハウジング内での前記スリーブの位置の軸方向の微調整、したがって前記ピペットの前記容積設定がもたらされるようにされた支持手段を備えた、請求項６に記載のピペット。
【請求項８】
前記固定機構（３４）は、前記ねじ切りされた部材（５０）を前記ハウジング（１２）に対して固定するための、また、前記ねじ切りされた部材を解除して、前記ハウジング内を前記スリーブ（４４）とともに軸方向に移動させて、前記ピペット用の前記容積設定を迅速に調整するためのレバー・ロックを備える、請求項７に記載のピペット。
【請求項９】
前記ユーザが操作可能な固定機構（３４）は、前記ねじ切りされた部材（５０）を前記ハウジング（１２）に対して解除可能に固定する摩擦ブレーキ（８０）を備える、請求項７に記載のピペット。
【請求項１０】
前記スリーブ（４４）は、外部にねじが切られ、前記プランジャ・ユニットによって、内部にねじ切りされたナットを備える前記ねじ切りされた部材（５０）に対して回転するようにされている、請求項４に記載のピペット。
【請求項１１】
前記検出（１６）および制御手段（１８）は、
前記プランジャ・ユニット（２０）上で垂直に延びる一連の歯（８８）と、
前記プランジャ・ユニット（２０）の垂直移動とともに回転するための、前記歯（８８）と対を成すギア（９０）と、
前記ギア（９０）の回転をモニターして、前記プランジャ・ユニットの前記軸方向の位置を示す電気信号を生成し、前記ディスプレイ（１４）を備える電子デジタル・ディスプレイ上に前記容積設定を電子的に表示するために、前記センサおよび制御手段を備える回路によって処理するためのセンサ手段とを備える、請求項１に記載のピペット。
【請求項１２】
前記センサおよび制御手段は、
前記ディスプレイ（１４）を備える電子デジタル・ディスプレイに接続され、プランジャ・ユニットの位置の示度を受信するためのセンサ入力を含むマイクロプロセッサを備え、前記マイクロプロセッサへの前記センサ入力の１つは、プランジャ・ユニット・ホーム位置センサ（６９）である、請求項１に記載のピペット。
【請求項１３】
前記容量設定部材（３２）を前記ハウジング（１２）内で下方向に付勢するためのばね手段（９６）をさらに含む、請求項１に記載のピペット。
【請求項１４】
前記スリーブ（４４）を前記ハウジング（１２）内で下方向に付勢するためのばね手段（９６）をさらに含む、請求項７に記載のピペット。
【請求項１５】
前記ユーザが操作可能な固定機構（３４）は、
前記ねじ切りされた部材（５０）の側面に垂直に離して配置された一連の指標穴（１０６）と、
前記スリーブ（４４）およびねじ切りされた部材（５０）の軸方向の移動時に、前記指標穴の各穴に対して横方向に載置され、また、取り外されて、前記ピペットの容積を迅速にリセットするためのピン（１１０）を含むばね偏倚された押しボタン機構（８０）を備える、請求項７に記載のピペット。
【請求項１６】
前記ねじ切りされた部材（５０）は、前記ピペットの容積設定を迅速に、そしてその後、微細に調整することが望まれるときに、前記スリーブ（４４）に対して解除され、また、係合するように、ピペット・ユーザによって、横方向の外向きおよび内向きに移動自在に支持された、割りナットを備える、請求項７に記載のピペット。
【請求項１７】
前記ねじ切りされた部材（５０）は、前記プランジャ・ユニット（２０）を軸方向に収容する、軸方向に延びる指標付きスリーブ（１１８）を含み、前記ユーザ操作可能固定機構（３４）は、前記指標付きスリーブに対して係合および解除するための、ユーザ駆動可能な内側に延びる部材（５０ｃ、５０ｄ、５０ｅ、５０ｆ）を備える、請求項７に記載のピペット。
【請求項１８】
前記上方止め部材を画定する前記スリーブ（４４）は、前記プランジャ・ユニット（２０）を軸方向に収容する、管状ボールねじ（１２２）を備え、前記ねじ切りされた部材（５０）は、前記ボールねじ（１２２）のねじ（１２８）に載置するための、ばね負荷ボール（１２４）を備える、請求項７に記載のピペット。
【請求項１９】
前記ピペットの容積を迅速にリセットするために、前記ユーザ操作可能固定機構（３４）の解除時に、前記ボールねじ（１２２）を軸方向に移動させるための、前記ボールねじから延びる腕（５７）をさらに含む、請求項１８に記載のピペット。
【請求項２０】
前記ハウジング（１２）内における前記ボールねじ（１２２）の下方への相対移動時に、前記プランジャ・ユニット（２０）とともに移動して、前記ボールねじと係合するように、前記ボールねじの上の前記プランジャ・ユニットのカラー（１３８）を含む、請求項１８に記載のピペット。